(57)【要約】【課題】参加者が正規にチェックポイントを訪問したか否かを簡易に判断できる電子スタンプラリーシステムを提供する。【解決手段】端末装置１６は、アクセスポイント１１の通信可能範囲内でアクセスポイント１１との間で接続を確立する。サーバ１５は、携帯端末１６から、アクセスポイント１１を介して、チェックポイントに到着した旨の通知を受けると、参加者情報記憶部５１に、アクセスポイント１１に対応するチェックポイントが訪問済みである旨を記憶する。また、アクセスポイント情報記憶部５２から、アクセスポイント１１に対応する確証データを取得して、携帯端末１６に送信する。【選択図】図１
2007219568.tif 000002
【特許請求の範囲】
【請求項１】
端末装置を用いた電子スタンプラリーシステムであって、
チェックポイントに対応して設置された複数の近距離無線装置であって、ネットワークに接続され、通信可能範囲内の端末装置との間で近距離無線通信を行う近距離無線通信装置と、
前記ネットワークに接続されたサーバであって、前記複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントを、訪問済チェックポイントとして記憶するチェックポイント訪問判定部を有するサーバと、
を備えたことを特徴とする電子スタンプラリーシステム。
【請求項２】
前記チェックポイント訪問判定部は、前記近距離無線通信装置と、チェックポイントに対応した電子データである確証データとを対応付けて記憶する近距離無線通信装置情報記憶部を参照し、前記訪問した旨の通知を中継した近距離無線装置に対応した確証データを取得して前記端末装置に送信する、請求項１に記載の電子スタンプラリーシステム。
【請求項３】
前記チェックポイントを訪問した旨の通知が、該通知を中継する近距離無線通信装置を特定するための情報を含む、請求項１又は２に記載の電子スタンプラリーシステム。
【請求項４】
前記参加者情報記憶部は、前記訪問した旨の通知に含まれる近距離無線通信装置を特定するための情報を記憶する、請求項３に記載の電子スタンプラリーシステム。
【請求項５】
前記通知を中継する近距離無線通信装置を特定するための情報が、前記近距離無線通信装置に固有のアドレスである、請求項３又は４に記載の電子スタンプラリーシステム。
【請求項６】
端末装置を用いた電子スタンプラリーシステムに使用されるサーバであって、
チェックポイントに対応して設置され、通信可能範囲内の端末装置との間で近距離無線通信を行う複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントを、訪問済チェックポイントとして記憶するチェックポイント訪問判定部を備えたことを特徴とするサーバ。
【請求項７】
前記チェックポイント訪問判定部は、前記近距離無線通信装置と、チェックポイントに対応した電子データである確証データとを対応付けて記憶する近距離無線通信装置情報記憶部を参照し、前記訪問した旨の通知を中継した近距離無線装置に対応した確証データを取得し前記端末装置に送信する、請求項６に記載のサーバ。
【請求項８】
サーバと端末装置とを用いた電子スタンプラリー方法であって、
前記サーバが、チェックポイントに対応して設置され、通信可能範囲内の端末装置との間で近距離無線通信を行う複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントを、訪問済チェックポイントとして記憶するステップを有することを特徴とする電子スタンプラリー方法。
【請求項９】
前記サーバが、前記近距離無線通信装置と、チェックポイントに対応した電子データである確証データとを対応付けて記憶する近距離無線通信装置情報記憶部を参照し、前記訪問した旨の通知を中継した近距離無線装置に対応した確証データを取得し前記端末装置に送信するステップを更に有する、請求項８に記載の電子スタンプラリー方法。
【請求項１０】
サーバと端末装置とを用いた電子スタンプラリー方法を実行するためのプログラムであって、前記サーバに、
チェックポイントに対応して設置され、通信可能範囲内の端末装置との間で近距離無線通信を行う複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントは訪問済である旨を記憶するステップを実行させることを特徴とするプログラム。
【請求項１１】
前記サーバに、前記近距離無線通信装置と、チェックポイントに対応した電子データである確証データとを対応付けて記憶する近距離無線通信装置情報記憶部を参照し、前記訪問した旨の通知を中継した近距離無線装置に対応した確証データを取得し前記端末装置に送信するステップを更に実行させる、請求項１０に記載のプログラム。
【発明の詳細な説明】
【技術分野】
【０００１】
本発明は、電子スタンプラリーシステム、方法、サーバ、及び、プログラムに関し、更に詳しくは、利用者がどのチェックポイントを通過したかを電子的に管理する電子スタンプラリーシステム、方法、サーバ、及び、プログラムに関する。
【背景技術】
【０００２】
あらかじめ定められた場所にスタンプ台を設置しておき、利用者が、スタンプ台が設置された場所（チェックポイント）を訪問してスタンプを集めて回るスタンプラリーが知られている。このようなスタンプラリーでは、参加者は、台紙を入手して、その台紙にスタンプを押印する作業を繰り返して、スタンプを収集していく。通常、台紙に押すスタンプは、スタンプの設置場所ごとに異なっている。また、スタンプラリーでは、集めたスタンプの数（訪れたチェックポイントの数）に応じて、プレゼントなどの特典が与えられることも多い。
【０００３】
スタンプラリーは、参加者にとって、楽しい企画ではあるが、チェックポイントに、一度に多数の参加者が押し寄せた場合などには、スタンプを押すために列を作って並ばなければならず、待ち時間が発生するという問題があった。また、スタンプを押す際に、押す場所を間違える、きれいに押すことができない、或いは、インクで手や衣服が汚れるといった問題もあった。更に、スタンプラリーの企画者側（サービス供給側）から見ると、スタンプ台の設置や、維持、撤去等の手間が必要であるという問題もある。
【０００４】
上記した問題を解消できる技術としては、特許文献１に記載された技術がある。この技術では、参加者は、携帯電話機を用いて、スタンプラリーに参加する。参加者は、チェックポイントに到着すると、携帯電話機を操作して、スタンプの発行依頼を送信する。この依頼を受けたスタンプ代行発行サーバは、参加者の携帯電話機との間で通信を行った基地局を特定し、基地局の位置情報を取得して、その位置情報から携帯電話機の位置を計算し、携帯電話機の位置が所定のチェックポイントであれば、スタンプを発行する。
【０００５】
ここで、特許文献２には、通過情報送信装置を用いた通行管理装置が記載されている。特許文献２では、廊下等の所定の場所に、近距離無線通信部を有する通過情報送信装置を設置する。利用者が、携帯端末を持ってその通過情報送信装置付近を通過すると、通過情報送信装置は、サーバに通過情報を送信してよいかどうかを問い合わせた上で、近距離無線通信部により、携帯端末に通過情報を送信する。特許文献２には、携帯端末に記憶された通過情報をチェックすることにより、通過ポイントを正しく通過したか否かを判断できる旨の記載がある。
【０００６】
【特許文献１】特開２００４−１３９１９３号公報
【特許文献２】特開２００３−２８１５８７号公報（段落００４８）
【発明の開示】
【発明が解決しようとする課題】
【０００７】
特許文献１に記載の技術では、参加者が所定のチェックポイントに到着したか否かを判断するためには、基地局を特定した上で、携帯電話機の位置を計算し、参加者がチェックポイントの位置付近にいるか否かを判定する必要がある。このため、参加者がチェックポイントを訪問したことを認識するための手順が複雑であるという問題がある。
【０００８】
また、特許文献２では、通過情報を用いているが、通過情報は電子データである限りコピーが可能であり、通過情報を既に受信した携帯端末から不正にコピーすることも考えられる。特許文献２では、サーバは、ユーザの携帯端末に認証データを送信してよいかどうかを決定するのみで、ユーザがどの通過情報送信装置を通過したかを管理していない。特許文献２には、通過情報送信装置をウォーキングラリー等のチェックポイントに設置して、ゴール地点でチェックポイントを正しく通過したか否かを判断する旨の記載もあるが、携帯端末が記憶する通過情報はコピーされたものであるのか、或いは、通過情報送信装置から正しく受信したものであるのかを判断することができない。従って、不正をチェックできないという問題がある。
【０００９】
本発明は、上記従来技術の問題点を解消し、参加者が正規にチェックポイントを訪問したか否かを簡易に判断できる電子スタンプラリーシステム、方法、サーバ、及び、プログラムを提供することを目的とする。
【課題を解決するための手段】
【００１０】
上記目的を達成するために、本発明の電子スタンプラリーシステムは、端末装置を用いた電子スタンプラリーシステムであって、チェックポイントに対応して設置された複数の近距離無線装置であって、ネットワークに接続され、通信可能範囲内の端末装置との間で近距離無線通信を行う近距離無線通信装置と、前記ネットワークに接続されたサーバであって、前記複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントを、訪問済チェックポイントとして記憶するチェックポイント訪問判定部を有するサーバとを備えたことを特徴とする。
【００１１】
本発明の電子スタンプラリー方法は、サーバと端末装置とを用いた電子スタンプラリー方法であって、前記サーバが、チェックポイントに対応して設置され、通信可能範囲内の端末装置との間で近距離無線通信を行う複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントを、訪問済チェックポイントとして記憶するステップを有することを特徴とする。
【００１２】
本発明の電子スタンプラリーシステム及び方法では、参加者が、近距離無線通信装置を介してサーバにチェックポイントを訪問した旨を通知すると、サーバは、その通知を中継した近距離無線通信装置に対応するチェックポイントを、訪問済みチェックポイントとして記憶する。本発明では、チェックポイントと近距離無線装置とを対応付けて管理し、参加者からの通知を中継した近距離無線装置に対応するチェックポイントを訪問済みとするため、参加者の位置を割り出して、参加者がチェックポイント付近にいるか否かを判断する従来技術に比して、チェックポイントを訪問したか否かを簡易に判断できる。
【００１３】
本発明の電子スタンプラリーシステム及び方法では、前記近距離無線通信装置と、チェックポイントに対応した電子データである確証データとを対応付けて記憶する近距離無線通信装置情報記憶部を参照し、前記訪問した旨の通知を中継した近距離無線装置に対応した確証データを取得して前記端末装置に送信する構成を採用できる。この場合、参加者は、チェックポイントを訪問した証しとして、確証データを取得できる。また、このような確証データとして、参加者に欲しいと思わせるものを使用することにより、より多くのチェックポイントを訪問したいと思わせる効果が期待できる。
【００１４】
本発明の電子スタンプラリーシステムでは、前記チェックポイントを訪問した旨の通知が、該通知を中継する近距離無線通信装置を特定するための情報を含む構成を採用できる。この場合、サーバ側は、チェックポイントと近距離無線通信装置を特定するための情報とを対応付けて管理しておくことにより、参加者がどのチェックポイントを訪問したかを簡易に判断できる。近距離無線通信装置を特定するための情報としては、例えば、近距離無線通信装置に固有のアドレス情報を用いることができる。
【００１５】
本発明の電子スタンプラリーシステムでは、前記参加者情報記憶部は、前記訪問した旨の通知に含まれる近距離無線通信装置を特定するための情報を記憶する構成を採用できる。この場合、訪問済みチェックポイントとして、参加者からの通知を中継した近距離無線通信装置を特定するための情報を記憶していくことにより、サーバは、どのチェックポイントが訪問済みであるかを簡易に判断できる。
【００１６】
本発明のサーバは、端末装置を用いた電子スタンプラリーシステムに使用されるサーバであって、チェックポイントに対応して設置され、通信可能範囲内の端末装置との間で近距離無線通信を行う複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントを、訪問済チェックポイントとして記憶するチェックポイント訪問判定部を備えたことを特徴とする。
【００１７】
本発明のサーバでは、前記チェックポイント訪問判定部は、前記近距離無線通信装置と、チェックポイントに対応した電子データである確証データとを対応付けて記憶する近距離無線通信装置情報記憶部を参照し、前記訪問した旨の通知を中継した近距離無線装置に対応した確証データを取得し前記端末装置に送信する構成を採用できる。
【００１８】
本発明のプログラムは、サーバと端末装置とを用いた電子スタンプラリー方法を実行するためのプログラムであって、前記サーバに、チェックポイントに対応して設置され、通信可能範囲内の端末装置との間で近距離無線通信を行う複数の近距離無線通信装置のうちの何れかを介して、前記端末装置から、チェックポイントを訪問した旨の通知を受け取ると、参加者の訪問済みチェックポイントを記憶する参加者情報記憶装置に、前記訪問した旨の通知を中継した近距離無線装置に対応するチェックポイントは訪問済である旨を記憶するステップを実行させることを特徴とする。
【００１９】
本発明のプログラムは、前記サーバに、前記近距離無線通信装置と、チェックポイントに対応した電子データである確証データとを対応付けて記憶する近距離無線通信装置情報記憶部を参照し、前記訪問した旨の通知を中継した近距離無線装置に対応した確証データを取得し前記端末装置に送信するステップを更に実行させる構成を採用できる。
【発明の効果】
【００２０】
本発明の電子スタンプラリーシステム、方法、サーバ、及び、プログラムでは、サーバは、参加者によって送信された、チェックポイントを訪問した旨の通知を中継した近距離無線通信装置に対応するチェックポイントを、訪問済みチェックポイントとして記憶する。このようにすることで、参加者の位置を割り出して、参加者がチェックポイント付近にいるか否かを判断する従来技術に比して、チェックポイントを訪問したか否かを簡易に判断できる。
【発明を実施するための最良の形態】
【００２１】
以下、図面を参照し、本発明の実施の形態を詳細に説明する。図１は、本発明の一実施形態の電子スタンプラリーシステムの構成を示している。電子スタンプラリーシステム１００は、サーバ１５と、複数のアクセスポイント１１〜１４を有する。サーバ１５及びアクセスポイント１１〜１４は、それぞれインターネット等のネットワーク１０に接続される。サーバ１５は、例えばワークステーション等のコンピュータシステムとして構成される。アクセスポイント１１〜１４は、例えば無線ＬＡＮアクセスポイントとして構成される。
【００２２】
サーバ１５は、電子スタンプラリーで必要なサービスを提供する。アクセスポイント１１〜１４は、それぞれ、スタンプの設置個所に相当する場所、すなわちスタンプラリーの参加者が訪れてチェックを行う場所（チェックポイント）に設置される。本実施形態では、チェックポイントを訪問した証しとして、通常のスタンプラリーにおけるスタンプに代わりに、確証となる電子データ（確証データ）を用いる。携帯端末１６は、スタンプラリー参加者が使用する端末であり、例えば携帯電話機や携帯型ゲーム機として構成される。携帯端末１６には、電子スタンプラリーシステムで使用するアプリケーションがインストールされている。アクセスポイント１１〜１４は、携帯端末１６からの接続要求を認識し、ネットワーク１０と携帯端末１６との間の通信の制御及び管理を行う。
【００２３】
携帯端末１６は、近距離無線通信部６１、チェックポイント到着通知部６２、及び、確証データ記憶部６３を有する。近距離無線通信部６１は、アクセスポイント１１〜１４に接続要求を送信し、アクセスポイント１１〜１４との間で通信を行う。チェックポイント到着通知部６２は、アクセスポイント１１〜１４を介してサーバ１５にアクセスし、サーバ１５に対して、チェックポイントに到着した旨を通知する。この通知には、通知を送信する際に経由したアクセスポイントを特定する情報が含まれる。アクセスポイントを特定する情報としては、ＭＡＣアドレスを用いることができる。ＭＡＣアドレスは、通常のネットワークにおいて、データリンク層で定義されるアドレスであり、アクセスポイント１１〜１４を含むネットワーク機器のそれぞれが固有の値を持っている。確証データ記憶部６３は、サーバ１５から受信した確証データを記憶する。
【００２４】
サーバ１５は、参加者情報記憶部５１、アクセスポイント情報記憶部５２、チェックポイント訪問判定部５３、及び、ゴール判定部５４を有する。参加者情報記憶部５１は、参加者のＩＤやパスワード等の認証情報と、参加者がどのチェックポイントを訪問したかを示す情報を保持する。図２は、参加者情報記憶部５１に記憶される情報の具体例を示している。この例では、参加者情報記憶部５１は、参加者ごとに、ログオンＩＤ、パスワード、及び、訪問済みチェックポイントを記憶する。訪問済みチェックポイントには、参加者が訪問したチェックポイントに対応して、アクセスポイント１１〜１４のＭＡＣアドレスが追加登録されていく。
【００２５】
アクセスポイント情報記憶部５２は、アクセスポイント１１〜１４に対応して、アクセスポイントが設置された場所、アクセスポイントを特定するための情報、及び、アクセスポイントごとの確証データを記憶する。図３は、アクセスポイント情報記憶部５２に記憶される情報の具体例を示している。この例では、アクセスポイント情報記憶部５２は、アクセスポイント１１〜１４が設置されたチェックポイントの地点名、アクセスポイントのＭＡＣアドレス、及び、参加者がチェックポイントを訪問した際に入手する確証データを記憶する。
【００２６】
チェックポイント訪問判定部５３は、携帯端末１６からのチェックポイントに到着した旨の通知を受けると、その通知を中継したアクセスポイントに対応する確証データ（電子データ）をアクセスポイント情報記憶部５２から取得して携帯端末１６に送信する。また、その際、参加者情報記憶部５１の訪問済みチェックポイントに、携帯端末１６からの通知を中継したアクセスポイントのＭＡＣアドレスを記憶する。参加者は、ある時点で、終了通知をサーバ１５に送信する。ゴール判定部５４は、この終了通知を受け取ると、参加者の訪問済みチェックポイントをチェックして、スタンプラリーの結果を、携帯端末１６に送信する。このスタンプラリーの結果には、例えば、訪問済みチェックポイントの数や、どのチェックポイントを訪問したかを示す情報が含まれる。
【００２７】
図４は、電子スタンプラリーシステムの動作手順を示している。ここでは、参加者がアクセスポイント１１に対応するチェックポイントを訪問した際の動作を例に挙げて説明する。参加者は、アクセスポイント１１が設置されている場所まで、携帯端末１６を持って移動する。従来のスタンプラリーでは、台紙にスタンプ印を押すことでチェックポイントの訪問が完了するが、本実施形態では、以下に説明する手順で、チェックポイントの訪問を行う。なお、携帯端末１６が、アクセスポイント１１〜１４やサーバ１５と通信するための情報、例えばアクセスポイントのＩＤや、サーバ１５へのアクセス手順等は、既知であるとする。
【００２８】
参加者は、アクセスポイント１１の通信可能範囲内で携帯端末１６を操作し、アクセスポイント１１に対して接続要求を行う（ステップＳ１）。アクセスポイント１１は、携帯端末１６からの接続要求を受けて、携帯端末１６との間の接続を確立する（ステップＳ２）。接続が確立することにより、携帯端末１６は、サーバ１５との間でデータの送受信が可能となる。携帯端末１６は、アクセスポイントの間で接続が確立すると、サーバ１５に、ユーザ認証情報を送信する（ステップＳ３）。
【００２９】
サーバ１５は、携帯端末１６が送信したユーザ認証情報に基づいて、認証を行う（ステップＳ４）。このとき、サーバは、ユーザ認証情報を送信した参加者が既に電子スタンプラリーに参加している場合には、参加者情報記憶部５１に記憶された、その参加者のログオンＩＤ及びパスワードを用いて認証を行う。参加者が新規にスタンプラリーに参加する場合には、参加資格を確認した上で、ログオンＩＤを発行し、発行したログオンＩＤと参加者のパスワードとを、参加者情報記憶部５１に記憶する。サーバ１５は、認証を行うと、その結果を、携帯端末１６に送信する（ステップＳ５）。
【００３０】
携帯端末１６は、サーバ１５から認証結果ＯＫを受信すると、チェックポイント到着通知部６２により、ステップＳ２で接続を確立したアクセスポイント１１のＭＡＣアドレスを含むチェックポイントに到着した旨の通知を、サーバ１５に送信する（ステップＳ６）。アクセスポイント１１のＭＡＣアドレスは、ステップＳ１、Ｓ２で接続を確立する際に取得できる。サーバ１５は、チェックポイントに到着した旨の通知を受信すると、参加者情報記憶部５１の参加者の訪問済みチェックポイント（図２）を参照し、チェックポイントに到着した旨の通知に含まれるＭＡＣアドレスが、参加者情報記憶部５１に既に記憶されているか否かを判断する（ステップＳ７）。
【００３１】
参加者が、既にアクセスポイント１１に対応するチェックポイントを訪問済みである場合には、ステップＳ６で送信された通知に含まれるＭＡＣアドレスは、参加者情報記憶部５１の訪問済みチェックポイントに既に記憶されている。その場合には、ステップＳ７からステップＳ１１へ移行して、そのまま処理を終了する。一方、参加者がアクセスポイント１１に対応するチェックポイントを初めて訪問した場合には、参加者情報記憶部５１の訪問済みチェックポイントには、まだ、ステップＳ６で送信された通知に含まれるＭＡＣアドレスは記憶されていない。この場合には、サーバは、参加者が新規にチェックポイントを訪問したと認識して、その参加者の訪問済みチェックポイントに、チェックポイントに到着した旨の通に含まれるＭＡＣアドレスを追加する（ステップＳ８）。
【００３２】
チェックポイント訪問判定部５３は、ステップＳ８に引き続き、アクセスポイント情報記憶部５２（図３）から、ステップＳ６で送信された通知に含まれるＭＡＣアドレスに対応する確証データを取得し、取得した確証データを携帯端末１６に送信する（ステップＳ９）。この確証データは、チェックポイントを訪問することにより取得できる電子データであり、例えば、電子スタンプのようなデータとすることができる。また、スタンプラリーシステム上で動作するアプリケーション上のソフトに組み込まれている形式でもよく、例えば携帯端末１６がゲーム端末であれば、ゲーム内で使用できるアイテムなどとすることもできる。
【００３３】
携帯端末１６は、確証データを受信すると、受信した確証データを、確証データ記憶部６３に記憶する。サーバ１５は、確証データの送信後、携帯端末１６が確証データを正しく受信できたか否かを確認する（ステップＳ１０）。正しく受信できたことが確認できると、ステップＳ１１へ移行して処理を終了する。正しく受信できたことが確認できない場合には、その確認回数があらかじめ定められた回数（ｎ）以上であるか否かを判断し（ステップＳ１２）、確認回数がｎ回よりも少なければ、ステップＳ９へ戻って、確証データの送信をやり直す。ステップＳ１２で、確認回数がｎ回以上であると判断されると、ステップＳ１３へ移行して、エラーとして処理を終了する。
【００３４】
以上のような動作により、参加者は、各チェックポイントで、アクセスポイント１１〜１４を介してサーバ１５から確証データを取得し、携帯端末１６内の確証データ記憶部６３に、各チェックポイントに対応する確証データを記憶していく。また、サーバ１５内の参加者情報記憶部５１の訪問済みチェックポイントには、訪問したチェックポイントに対応するアクセスポイントのＭＡＣアドレスが追加されていく。
【００３５】
参加者は、規定された全てのチェックポイントを訪れた結果、取得できる確証データを全て取得すると、アクセスポイント１１〜１４、或いは、携帯電話会社等が提供する無線ネットワーク等を介して、サーバ１５に終了通知を送信する。サーバ１５は、この終了通知を受け取ると、参加者情報記憶部５１を参照し、その参加者の訪問済みチェックポイントをチェックして、全てのチェックポイントを訪問したか否かを判断する。その後、別途、特典や景品の授受等のスタンプラリーの完了プロセスに入る。この完了のプロセスについては説明を省略する。また、ある規定数以上のチェックポイントを訪問したことがスタンプラリーの終了条件となっている場合には、全てのチェックポイントを訪問する前に、完了プロセスに入ってもよい。
【００３６】
本実施形態では、従来スタンプ台を設置していたチェックポイントに、アクセスポイント１１〜１４を設置し、そのアクセスポイント１１〜１４を介して、サーバ１５にアクセスさせることで、チェックポイントを訪問済みとする。このようにすることで、スタンプ台の設置や維持、撤去にかかる手間を省略できる。また、参加者は、物理的なスタンプ印の代わりに、サーバ１５から確証データを入手するため、スタンプを押す場合に問題となる、インクで手が汚れる、或いは、スタンプを所定の場所に正しく押せないといった事態を回避できる。
【００３７】
従来の物理的なスタンプを用いる方法の場合には、多数の参加者がチェックポイントに同時に到着すると、スタンプを押すためにスタンプ台の前に列ができ、待ち時間が発生した。本実施形態では、アクセスポイント１１〜１４を、一度に数十の端末との間で接続を確立できるように構成することで、多数の参加者が、同時にチェックポイントに到着した場合でも、多数の参加者が同時にサーバ１５に対してアクセスでき、確証データの入手のための待ち時間を短縮できる。また、本実施形態では、チェックポイント訪問時に、サーバ１５にアクセスできる範囲を、アクセスポイント１１〜１４の通信可能範囲とするため、基地局の位置情報から携帯電話機の位置を計算する特許文献１の技術に比して、チェックポイントを訪問したか否かの判断のプロセスを簡易化できる。
【００３８】
本実施形態では、アクセスポイント１１〜１４は、携帯端末１６との間で接続を確立し、サーバ１５と携帯端末１６との間のデータの送受信を中継するだけでよく、特許文献２に記載された技術のように、通過情報送信装置に、その設置場所を通過した旨の情報を事前に記憶させておく必要がない。このため、例えば、ホットスポットサービスなどを提供するアクセスポイントが既に存在する場合には、スランプラリー用に新たにアクセスポイントを設置しなくても、その地点をチェックポイントとして使用できる。この場合には、アクセスポイントを新たに設置する手間を省略できる。
【００３９】
ここで、ユーザは、チェックポイントを訪問することで、サーバ１５から、確証データを入手するが、この確証データは電子データであるため、複製が可能である。確証データは、チェックポイントを訪問した参加者のみが取得できるべきであり、簡単には複製又は偽造できない形式にすることが好ましい。しかしながら、複製や偽造を完全に防止することは困難である。本実施形態では、参加者側に確証データを送信するのみではなく、サーバ１５側で、訪問済みチェックポイントに対応するアクセスポイントのＭＡＣアドレスを記憶している。このため、仮に、携帯端末１６に不正なやり方で確証データが記憶された場合でも、携帯端末１６に記憶された確証データと、サーバ１５が記憶する訪問済みチェックポイントに対応するＭＡＣアドレスとを照らし合わせることで、不正を判断できる。
【００４０】
なお、上記実施形態では、携帯端末１６に電子スタンプラリーシステムで使用されるアプリケーションをインストールしておく例について説明したが、これには限定されない。例えば、携帯端末１６がＷｅｂアクセス可能な端末であれば、Ｗｅｂ上で、電子スタンプラリーを実現してもよい。また、アクセスポイント１１〜１４を特定する情報としてＭＡＣアドレスを用いたが、これに代えて、アクセスポイント１１〜１４に対して一意に定まるその他の情報を用いてもよい。アクセスポイント１１〜１４は、無線ＬＡＮアクセスポイントには限定されず、携帯端末１６からサーバ１５へのアクセスを中継する装置であればよい。
【００４１】
また、携帯端末１６とアクセスポイント１１〜１４との間で接続を確立する際に、アクセスポイントから携帯端末１６に付与するアドレスの範囲をアクセスポイントごとに変えておき、サーバ１５が、付与されたアドレスから、携帯端末１６の間で通信しているアクセスポイントを判別するように構成してもよい。この場合には、チェックポイントに到着した旨の通知に、接続を確立したアクセスポイントを特定する情報を含めなくても、サーバ側で、アクセスポイントを特定できる。図４では、ステップＳ７で、参加者がチェックポイントを訪問済みであるかどうかを判断し、既に訪問済みの場合には、確証データの送信を行わない例について示したが、訪問済みであっても、確証データを改めて送信してもよい。
【００４２】
以上、本発明をその好適な実施形態に基づいて説明したが、本発明の電子スタンプラリーシステム、方法、サーバ、及び、プログラムは、上記実施形態例にのみ限定されるものではなく、上記実施形態の構成から種々の修正及び変更を施したものも、本発明の範囲に含まれる。
【図面の簡単な説明】
【００４３】
【図１】本発明の一実施形態の電子スタンプラリーシステムの構成を示すブロック図。
【図２】参加者情報記憶部５１に記憶される情報の具体例を示す図。
【図３】アクセスポイント情報記憶部５２に記憶される情報の具体例を示す図。
【図４】電子スタンプラリーシステムの動作手順を示すフローチャート。
【符号の説明】
【００４４】
１０：ネットワーク
１１〜１４：アクセスポイント
１５：サーバ
１６：携帯端末
５１：参加者情報記憶部
５２：アクセスポイント情報記憶部
５３：チェックポイント訪問判定部
５４：ゴール判定部
６１：近距離無線通信部
６２：チェックポイント到着通知部
６３：確証データ記憶部
【図１】
2007219568.tif 000003
【図２】
2007219568.tif 000004
【図３】
2007219568.tif 000005
【図４】
2007219568.tif 000006